(57)【要約】      （修正有）【課題】用紙サイズ不一致からのジョブ再開時に、用紙が交換されていないにも関わらず印刷ジョブを再開されることを防止する。【解決手段】画像形成装置において、操作部と、前記操作部から給紙部へ用紙サイズを設定する用紙サイズ設定手段と、搬送中の用紙サイズを測定する用紙サイズ測定手段と、前記用紙サイズ設定手段で設定された用紙サイズと、前記用紙サイズ測定手段で測定された用紙サイズが一致しない場合に実行中の印刷ジョブを中断させる制御手段と、前記印刷ジョブの中断中に、中断しているジョブの給紙元を判断する給紙元判断手段と、印刷ジョブの中断中に給紙部の用紙を再設定するために要した時間を計測する計測手段と、を有し、前記制御手段は、前記計測手段で計測した時間が、予め規定された時間より短いと判定したとき、印刷ジョブの中断を解除しないことを特徴とする。【選択図】図４
2019166696.tif 000002
【特許請求の範囲】
【請求項１】
操作部と、
前記操作部から給紙部へ用紙サイズを設定する用紙サイズ設定手段と、
搬送中の用紙サイズを測定する用紙サイズ測定手段と、
前記用紙サイズ設定手段で設定された用紙サイズと、前記用紙サイズ測定手段で測定された用紙サイズが一致しない場合に実行中の印刷ジョブを中断させる制御手段と、
前記印刷ジョブの中断中に、中断しているジョブの給紙元を判断する給紙元判断手段と、
印刷ジョブの中断中に給紙部の用紙を再設定するために要した時間を計測する計測手段と、を有し、
前記制御手段は、前記計測手段で計測した時間が、予め規定された時間より短いと判定したとき、印刷ジョブの中断を解除しないことを特徴とする画像形成装置。
【請求項２】
前記制御手段は、前記計測手段で計測した時間が、予め規定された時間より長いと判断した時、印刷ジョブの中断を解除することを特徴とする、請求項１に記載の画像形成装置。
【請求項３】
前記画像形成装置本体に着脱可能な給紙カセットと、前記給紙カセットの画像形成装置本体への装着の可否を検知する給紙カセット有無検知手段を備え、印刷ジョブの給紙元が給紙カセットからの給紙の場合、前記計測手段による時間の計測は、前記カセット有無検知手段の検知結果を参照して計測することを特徴とする請求項１に記載の画像形成装置。
【請求項４】
前記規定された時間は、印刷ジョブの給紙元が給紙カセットからの給紙の場合、前記給紙カセット有無検知手段によって、前記給紙カセットが画像形成装置本体からの抜脱を検知してから装着を検知するまでの時間とし、その時間は１５秒以下であることを特徴とする請求項１又は２に記載の画像形成装置。
【請求項５】
手差しトレイと、前記手差しトレイ上の用紙の有無を検知する手差しトレイ紙有無検知手段を備え、印刷ジョブの給紙元が手差しトレイからの給紙の場合、前記計測手段による時間の計測は、前記手差しトレイ紙有無検知手段の検知結果を参照して測定することを特徴とする請求項１に記載の画像形成装置。
【請求項６】
前記規定された時間は、印刷ジョブの給紙元が手差しトレイからの給紙の場合、前記手差しトレイ紙有無検知手段によって、前記手差しトレイ上の用紙の抜脱を検知してから載置を検知するまでの時間とし、その時間は３秒以下であることを特徴とする請求項１又は２に記載の画像形成装置。
【発明の詳細な説明】
【技術分野】
【０００１】
本発明は、給紙カセット及び手差しトレイを備える画像形成装置に関する。
【背景技術】
【０００２】
給紙部より給紙した用紙に文字や画像などを形成して出力する画像形成装置は周知である。このような画像形成装置における用紙の給紙形態としては、給紙カセットや手差しトレイを使用した形態が知られている。
【０００３】
また、画像形成装置における給紙部からの給紙開始タイミングは、生産性を高めるために、搬送方向の用紙長さに応じて無駄なく設定されている。また、感光体や二次転写ベルトなどがある画像形成部では、画像を形成する用紙長さに応じて定着装置の温度制御などを行っている。このため、画像形成装置で設定、認識されている用紙のサイズとセット方向が、実際に搬送される用紙のサイズとセット方向と異なると（以下、「用紙サイズ不一致」と呼ぶ）、給紙タイミングがずれてしまい、結果として用紙を正しく送れなくなる。
【０００４】
そうすると、画像形成装置内の用紙搬送経路に設けられた複数のセンサが、用紙の搬送タイミングの異常と判断してジャムの発生、もしくはユーザにエラーを通知される可能性が高まる。また、作像条件がずれるので正常な画像が得られなくなる。この場合、以降の給紙をジャムとして認識して、実行中の印刷ジョブのコピー動作やプリント動作、を中断もしくは停止する制御が知られている。
【０００５】
一方で、用紙サイズ不一致の発生が要因で中断又は停止した印刷ジョブをユ継続して実行する場合は、中断した要因に対する所定の処置を実施する必要があった。
【０００６】
例えば、特許文献１では、用紙サイズ不一致が要因で印刷ジョブが中断している時に、ユーザによって給紙カセットが複写機から抜脱され、そして複写機へ装着された場合は、用紙搬送動作の中断を解除するよう構成した用紙搬送装置が開示されている。
【先行技術文献】
【特許文献】
【０００７】
【特許文献１】特開平１１−２０９５６号公報
【発明の概要】
【発明が解決しようとする課題】
【０００８】
しかしながら、前述の特許文献１に開示された構成では、ユーザによる用紙サイズ不一致による印刷ジョブ中断の再開処理の迅速な実施は可能だが、ユーザの所定の操作によっては印刷ジョブが意図せずに再開してしまうという課題がある。
【０００９】
課題として想定される例として、給紙部に載置の用紙を別の用紙と交換するまでの時間が短い場合を挙げる。ちなみに、ここ言う短い時間とは、給紙部の用紙を別の用紙と交換するまでに要する最低限の時間を指す。
【００１０】
また、最低限の時間については、給紙部が給紙カセットの場合は、ユーザが給紙カセットを画像形成装置本体から抜脱して、載置済みの用紙を別の用紙に置き換えてからガイド幅の調整を行う。そして、給紙カセットを画像形成装置本体に装着するまでの時間を想定している。さらに、給紙部が手差し給紙部の場合は、ユーザが手差しトレイ上の用紙を抜き取ってから別の用紙に置き換えるまでの時間を想定している。
【００１１】
そこにおいて、給紙部の用紙を別の用紙と交換するまでの時間が前述で想定された時間よりも短かった場合は、印刷ジョブの中断は解除されるものの、用紙は交換されずに、用紙サイズ不一致が発生した時の用紙のままの可能性が高い。そのため、印刷ジョブを再開したとしても、再度用紙サイズ不一致が発生してしまう。
【００１２】
本発明の目的は、用紙サイズ不一致による印刷ジョブの中断からの再開を迅速、且つ、確実に行える画像形成装置を提供することである。
【課題を解決するための手段】
【００１３】
本発明は、上記手段を達成するため、操作部と、前記操作部から給紙部へ用紙サイズを設定する用紙サイズ設定手段と、搬送中の用紙サイズを測定する用紙サイズ測定手段と、前記用紙サイズ設定手段で設定された用紙サイズと、前記用紙サイズ測定手段で測定された用紙サイズが一致しない場合に実行中の印刷ジョブを中断する画像形成装置であって、前記印刷ジョブの中断中に、中断しているジョブの給紙元を判断する給紙元判断手段と、印刷ジョブの中断中に給紙部の用紙を再度設定するために要した時間を計測する計測手段と、前記計測手段で計測した時間が所定の時間より短いか否かを判定する判定手段を有し、前記判定手段によって所定の時間より短いと判定したとき、印刷ジョブの中断を解除しないことを特徴とする。
【発明の効果】
【００１４】
本発明によれば、用紙サイズ不一致からのジョブ再開時に、用紙が交換されていないにも関わらず印刷ジョブを再開されることを防止することが出来る。
【図面の簡単な説明】
【００１５】
【図１】画像形成装置の構成を示す縦断面図である。
【図２】図１の画像形成装置の制御構成を示すブロック図である。
【図３】は印刷ジョブの中断を再開する際の検知手段の概要、及び印刷ジョブの中断の再開を判断する際の基準値の例を示す。
【図４】印刷ジョブ実行中の制御手順を示すフローチャートである。
【図５】搬送中の用紙の副走査方向測定処理の手順を示すフローチャートである。
【図６】給紙元が給紙カセットのときの印刷ジョブ再開判定の処理手順を示すフローチャートである。
【図７】給紙元が手差しトレイのときの印刷ジョブ再開判定の処理手順を示すフローチャートである。
【図８】用紙サイズ不一致が発生したときに操作部３３０に表示する画面の表示例である。
【発明を実施するための形態】
【００１６】
以下、本発明の実施の形態について図面を参照しながら説明する。
（画像形成装置の説明）
図１は、本発明の一実施の形態に係る画像形成装置の構成を示す縦断面図、図２は本実施の形態のシステムブロック図である。図１、図２を用いて基本的な構成を説明する。
【００１７】
これらの図に示す画像形成装置本体１０００は複写装置として構成されたものであり、装置本体のほぼ中央に画像形成部１２０が配置され、この画像形成部１２０の下方に給紙段１００１が配置されている。給紙段１００１は格段に給紙カセット１５０を備えている。また、装置本体の側面には手差し給紙部２０００が設けられている。さらに画像形成部１２０の情報には原稿を読み取る読取部１００２が配置されている。また、画像形成部１２０上方には排紙部１００３が配置され、画像形成した用紙が排紙収納される。
【００１８】
画像形成部１２０は、感光体ドラム１２１Ｙ，１２１Ｍ，１２１Ｃ，１２１Ｋ、現像器、帯電ローラ、感光ドラムクリーナー等により構成されている。画像形成部１２０では、感光ドラムの表面が帯電された後、レーザースキャナユニット１１０から照射されるレーザーにより、感光ドラム上に静電潜像が形成される。そして、感光ドラム上に形成された静電潜像は、現像器内のトナーによって感光ドラム上で現像され、トナー像となる。その後、感光ドラム上に形成されたトナー像は、一次転写部４０８（点線枠部）において一次転写電圧を印加され、転写ベルト１３０へ転写される。
【００１９】
給紙カセット１５０に未使用の用紙が収容されており、回動可能に支持された図示しない底板が最上紙をピックアップローラ４０１が当接可能な位置まで上昇させる。カセット分離ローラ１３１、カセット給紙ローラ１３２の回転により、最上紙は給紙カセット１５０から送り出され、搬送ローラ４０３、４０４によりレジストローラ４０５へと搬送される。さらに、給紙カセット１５０においては、給紙カセット有無検知センサ５１０が設けられており、給紙カセット１５０が画像形成装置本体１０００に装着されているかを検知する。
【００２０】
レジストローラ４０５は用紙の搬送を一時止め、二次転写部４０７にトナー像が到達するタイミングと用紙先端が到達するタイミングが合うようにタイミングをとって回転が開始するよう、制御される。
【００２１】
読取部１００２では、図示しないコンタクトガラス上に載置される原稿が読み取られ、画像信号として読み込まれる。この読み込まれた画像信号は、画像処理部（図示せず）によってデジタル化され画像処理される。画像形成部１２０では、画像処理部によって処理された画像信号に基づいて、感光体ドラム１２１Ｙ，１２１Ｍ，１２１Ｃ，１２１Ｋの表面に静電潜像が形成される。
【００２２】
読取部１００２の上方には、操作部３３０が配置されている。この操作部３３０には、ユーザが各種の入力や設定を行うキー群のほか、表示パネル３３４が設けられている。本例の表示パネル３３４は、入力も可能なタッチパネルである。手差し給紙部２０００は、手差し給紙ローラ２０１，手差しトレイ２０２，手差しトレイ紙有無検知センサ２０３、スライドガイド２０４などにより構成される。
【００２３】
手差しトレイ２０２は、画像形成装置本体１０００に支軸で回動自在に支持されて外装カバーを兼ねており、手差しトレイ２０２上に用紙を載置する。手差しトレイ紙有無検知センサ２０３は、手差しトレイ２０２上の用紙の有無を検知する。また、スライドガイド２０４は、手差しトレイ２０２上に用紙の主走査方向に対して１対配置され、それぞれを主走査方向に対して可動することで、手差しトレイ２０２上の用紙を整えることができる。
【００２４】
手差し給紙部２０００からの用紙を給紙する場合は、手差し給紙ローラ２０１の回転によって手差しトレイ２０２上に載置された用紙を、手差し給紙部２０００から送りして画像形成装置本体１０００内へと搬送される。
【００２５】
本実施形態の画像形成装置は、上記のように原稿を読み取りデジタル化して用紙に複写する、いわゆるデジタルコピー機としての機能の他に、コンピュータが扱う画像情報を用紙上に印刷するいわゆるプリンタの機能を有する多機能の画像形成装置である。
【００２６】
本実施形態は、印刷ジョブが指定した給紙元、つまり、給紙カセット１５０もしくは手差し給紙部２０００にセットした用紙と、ユーザが指定したサイズの一致又は不一致の検知と通知に関するもので、次のような特徴を有している。
【００２７】
要するに、搬送中に検知した用紙サイズとユーザが手動で設定した用紙サイズが一致する場合はユーザにアラート（警告）しないで画像形成する。逆に不一致の場合には、不一致アラートを出して、実行中の印刷ジョブを中断することが特徴になっている。
【００２８】
この場合、操作部３３０に、ユーザに対して用紙サイズ不一致の要因を除去するための、ジャム除去をユーザに指示する画面を表示する。さらに、その後、印刷ジョブを再開したいユーザに対しては、用紙サイズの再指定、及び用紙の交換などの指示をユーザに通知する画面を表示するなどの手段を採ることで、印刷ジョブの再開を可能にする。
【００２９】
ここで、印刷ジョブ再開の手段の一つとして、給紙元が給紙カセット１５０の場合、印刷ジョブの再開、給紙カセット１５０を画像形成装置本体から抜脱され装着するといった手段が考えられる。ただし、ユーザによる給紙カセット１５０への用紙の交換時は、ある程度の時間を要する。例えば、給紙カセット１５０が画像形成装置本体１０００からの抜脱から装着までの時間が短い場合は、ユーザにより用紙が交換されていない可能性が高い。
【００３０】
しかし、上記ジョブ再開の手段の場合だと印刷ジョブが再開してしまい、結果として再度用紙サイズ不一致が発生してしまうという課題がある。
【００３１】
そこで本実施形態では、給紙元の用紙の再設定するために要した時間を計測して、その時間が所定の時間より短い場合は、印刷ジョブを再開しない画像形成装置を提案する。
【００３２】
（中断している印刷ジョブの再開条件判断について）
図３に本実施形態が提示する、中断している印刷ジョブの再開条件判断の概要を示す。図３（ａ）は印刷ジョブ中断中における用紙の再設定の可否を判定する際に参照する各センサの検知結果の概要であり、図３（ｂ）は、給紙元ごとの中断解除の判定条件を示す。
【００３３】
ここで言う印刷ジョブの中断とは画像形成動作に係る制御を中断することであり、具体的には、用紙搬送処理に係るモータの駆動の停止、作像処理に係る感光体ドラム上への静電潜像の形成の中断、定着処理に係る温調制御の中断などを実施することが挙げられる。
【００３４】
本実施形態では、印刷ジョブの中断中に用紙の再設定の可否を判定する際に参照するセンサを、給紙カセット有無検知センサ５１０、及び、手差しトレイ紙有無検知センサ２０３としている。理由として、これらのセンサの検知結果を参照することで、ユーザが用紙を交換する際に実施する動作を検知することが可能であるためである。さらに本実施形態では、中断中の印刷ジョブの再開の可否を判断するにあたって、給紙元によって異なる判断を実施している。
【００３５】
給紙元が給紙カセット１５０の場合は、給紙カセット１５０が、画像形成装置本体１０００から抜脱され、再び、画像形成装置本体１０００に装着されるまでの経過時間によって判断している。この経過時間を把握するために、給紙カセット有無検知センサ５１０を参照する必要がある。
【００３６】
一方、給紙元が手差し給紙部２０００の場合は、用紙が手差しトレイ２０２から抜き出されて、別の用紙が手差しトレイ２０２に載置されるまでの経過時間によって判断している。この経過時間を把握するために、手差しトレイ紙有無検知センサ２０３を参照する必要がある。
【００３７】
（給紙元が給紙カセットの場合について）
印刷ジョブの給紙元が給紙カセット１５０の場合を述べる。図３（ａ）において、給紙カセット有無検知センサ５１０は、画像形成装置本体１０００に装着されている状態だと１を、画像形成装置本体１０００から脱抜してある状態だと０を検知することとする。
【００３８】
そこにおいて、図３（ａ）内のＡで指す箇所は、給紙カセット有無検知センサ５１０の検知結果が１から０に変化しており、この時点で、ユーザによって給紙カセット１５０が画像形成装置本体１０００から抜脱されたと判断することができる。
【００３９】
次に、図３（ａ）内のＢで指す箇所は、給紙カセット有無検知センサ５１０の検知結果が０から１に変化しており、この時点で、ユーザによって給紙カセット１５０が画像形成装置本体１０００に装着されたと判断することができる。そして、図３（ａ）内のＡからＢまでに要した時間を算出することで、ユーザが給紙カセット１５０内の用紙を交換するに要した経過時間Ｔｉを取得することができる。
【００４０】
さらに、経過時間Ｔｉが図３（ｂ）に示す給紙カセット１５０における時間より短い場合は、用紙の交換行われていないと判断して印刷ジョブを再開しない。一方、経過時間Ｔｉが、図３（ｂ）に示す給紙カセット１５０の場合の時間より長い場合は、用紙の交換が行われていると判断して印刷ジョブを再開する。
【００４１】
この判断の理由としては、ユーザが用紙の交換作業には所定の時間を要する為である。給紙元が給紙カセット１５０の場合、用紙の交換には、ユーザが給紙カセット１５０を画像形成装置本体１０００から抜脱して、載置済みの用紙を別の用紙に置き換えてから図示しないガイド幅の調整を行う。そして、給紙カセット１５０を画像形成装置本体１０００に装着するという作業が発生する。
【００４２】
これらの作業に要する時間にはユーザによって差異はあるものの、用紙の交換に要した時間を実測した結果、本実施形態ではおよそ１５秒程度必要とした。
【００４３】
（給紙元が手差し給紙部の場合について）
次に、給紙元が手差し給紙部２０００の場合を述べる。図３（ａ）において、手差しトレイ紙有無検知センサ２０３が用紙を検知している状態だと１を、用紙を検知していない状態だと０を検知する。
【００４４】
図３（ａ）内のＡで指す箇所は、手差しトレイ紙有無検知センサ２０３の検知結果が１から０に変化しており、この時点で、ユーザによって用紙が手差しトレイ２０２から抜き取られたと判断することができる。
【００４５】
次に、図３（ａ）内のＢで指す箇所は、手差しトレイ紙有無検知センサ２０３の検知結果が０から１に変化しており、この時点で、ユーザによって用紙が手差しトレイ２０２に再度載置されたと判断することができる。そして、図３（ａ）内のＡからＢまでの時間を算出することで、ユーザが手差しトレイ２０２上の用紙を交換するに要した経過時間Ｔｉを取得することができる。
【００４６】
さらに経過時間Ｔｉが図３（ｂ）に示す手差し給紙部２０００における時間より短い場合は、用紙の交換行われていないと判断して印刷ジョブを再開しない。一方、経過時間Ｔｉが、図３（ｂ）に示す手差し給紙部２０００における時間より長い場合は、用紙の交換が行われていると判断して印刷ジョブを再開する。
【００４７】
この判断の理由としては、給紙部が給紙カセット１５０の場合と同様に、ユーザが用紙の交換作業には所定の時間を要する為である。給紙元が手差し給紙部２０００の場合、用紙の交換には、ユーザが手差しトレイ２０２上の用紙を取り除いて、スライドガイド２０４の幅を調整して、別の用紙を手差しトレイ２０２上に載置するという作業が発生する。これらの作業に要する時間にはユーザによって差異はあるものの、用紙の交換に要した時間を実測した結果、本実施形態ではおよそ３秒程度必要とした。
【００４８】
（全体フローチャート）
図４を用いて、用紙サイズ不一致を検知から給紙元の印刷ジョブ再開までの全体の処理を説明する。図４は印刷ジョブ開始から用紙サイズ不一致を検知した後に給紙元毎の処理を行うまでの全体のフローチャートを示す。
【００４９】
まず、操作部３３０からユーザによって給紙元が選択され（Ｓ１００１）、次に操作部３３０から用紙サイズを選択される（Ｓ１００２）。
【００５０】
次に、ＣＰＵ１０１は、操作部３３０からユーザによって図示しないコピー開始ボタンが押下されたかを判断し（Ｓ１００３）、押下されたと判断した場合（Ｓ１００３  ＹＥＳ）、ＣＰＵ１０１は、印刷ジョブが終了したかを判断する（Ｓ１００４）。
【００５１】
Ｓ１００４において、印刷ジョブが終了していないと判断した場合（Ｓ１００４  ＮＯ）、ＣＰＵ１０１は、用紙の給紙及び搬送処理を実行する（Ｓ１００５）。
【００５２】
次に、ＣＰＵ１０１は、搬送中の用紙の副走査長を測定する処理を実施する（Ｓ１００６）。その詳細は後述に図５を用いて説明する。
【００５３】
次に、ＣＰＵ１０１は、Ｓ１００５で測定した用紙の副走査長と、ユーザが設定した用紙サイズの副走査長とを比較して一致しているか否かを判断する。（Ｓ１００７）。
【００５４】
Ｓ１００７において、ユーザが設定した用紙サイズの副走査長が一致しているとＣＰＵ１０１が判断した場合は（Ｓ１００７  ＹＥＳ）、印刷ジョブを停止せずに所定の作像処理及び定着処理を実行する（Ｓ１０１３）。
【００５５】
一方、Ｓ１００７において、一致していないと判断した場合は（Ｓ１００７  ＮＯ）、用紙搬送動作を中断し（Ｓ１００８）、そして、印刷ジョブが中断したことを操作部３３０に表示する（Ｓ１００９）。
【００５６】
ここで操作部３３０への表示例として、図８（ａ）を示す。操作部３３０には、用紙サイズ不一致が発生した旨と用紙確認の指示をユーザへ通知する表示（５０１０）と、印刷ジョブを中止するキャンセルキー５０２０が表示される。
【００５７】
次に、ＣＰＵ１０１は、給紙元が給紙カセット１５０か否かを判断する（Ｓ１０１０）。ＣＰＵ１０１は、Ｓ１００１においてユーザに設定された給紙元を参照し、給紙元が給紙カセット１５０と判断した場合は（Ｓ１０１０  ＹＥＳ）、後述する、給紙カセット１５０時の印刷ジョブ再開判断処理を実行する（Ｓ１０１１）。
【００５８】
一方、Ｓ１０１０において、ＣＰＵ１０１が、給紙元が給紙カセット１５０ではないと判断した場合は、後述する手差し給紙部２０００時の用紙再設定判断処理を実行する（Ｓ１０１２）。
【００５９】
（用紙の副走査長測定処理）
図５を用いて用紙の副走査長測定の処理について説明する。図５は、用紙サイズ不一致判断処理の一つとしての用紙の副走査長の測定処理のフローを示す。
【００６０】
ＣＰＵは、レジセンサ５０３の検知結果を監視し、レジセンサ５０３に用紙の先端が到達した、つまり、レジセンサ５０３の検知結果が１になったか否かを判断する（Ｓ２００１）。
【００６１】
Ｓ２００１において、レジセンサ５０３の検知結果が１になったとＣＰＵ１０１が判断した場合、ＣＰＵ１０１は、その時点での時間を取得し、ＲＡＭ１０３に保存する（Ｓ２００２）。
【００６２】
ＣＰＵは、引き続きレジセンサ５０３の検知結果を監視し、続いて、レジセンサ５０３を用紙の後端が通過した、つまり、レジセンサ５０３の検知結果が０になったか否かを判断する（Ｓ２００３）。
【００６３】
Ｓ２００３において、レジセンサ５０３の検知結果が０になったとＣＰＵ１０１が判断した場合、ＣＰＵ１０１は、その時点での時間を取得し、ＲＡＭ１０３に保存する（Ｓ２００４）。
【００６４】
次に、ＣＰＵ１０１は、ＲＡＭに保存したレジセンサ５０３の検知結果が１になった時間から、同じく０になった時間の差から時間Ｔを算出する（Ｓ２００５）。
【００６５】
そして、ＣＰＵ１０１は、Ｓ２００５で算出した時間Ｔと、印刷ジョブ実行時に予め設定されている用紙搬送速度から、搬送中の用紙の副走査長を算出する（Ｓ２００６）。
【００６６】
（給紙カセット時の印刷ジョブ再開判断処理）
図６を用いて、給紙カセット１５０からの印刷ジョブ再開判断処理について説明する。図６は、図４のＳ１０１１の詳細であり、印刷ジョブの給紙元が給紙カセット１５０であった場合の、印刷ジョブの再開判断の処理の詳細である。
【００６７】
まず、ＣＰＵ１０１は、給紙カセット有無検知センサ５１０の検知結果を監視し、給紙カセット有無検知センサ５１０の検知結果が０になったか否かを判断する（Ｓ３００１）。
【００６８】
Ｓ３００１において、給紙カセット有無検知センサ５１０の検知結果が０になったとＣＰＵ１０１が判断した場合（Ｓ３００１  ＹＥＳ）、ＣＰＵ１０１は、その時点の時間を取得し、ＲＡＭ１０３に保存する（Ｓ３００２）。
【００６９】
ＣＰＵ１０１は、給紙カセット有無検知センサ５１０の検知結果を監視し、続いて、給紙カセット有無検知センサ５１０の検知結果が１になったか否かを判断する（Ｓ３００３）。
【００７０】
Ｓ３００３において、給紙カセット有無検知センサ５１０の検知結果が１になったとＣＰＵ１０１が判断した場合、ＣＰＵ１０１は、その時点での時間を取得し、ＲＡＭ１０３に保存する（Ｓ３００４）。
【００７１】
次に、ＣＰＵ１０１は、ＲＡＭに保存した給紙カセット有無検知センサ５１０の検知結果が０になった時間から、同じく１になった時間の差から経過時間Ｔｃを算出する（Ｓ３００５）。
【００７２】
そして、ＣＰＵ１０１は、Ｓ３００５で算出した経過時間Ｔｃが、予め設定されている所定の経過時間よりも長いか否かを判断する（Ｓ３００６）。ちなみに、本実施形態では、所定の経過時間を図３（ｂ）に定義したように１５秒としている。
【００７３】
Ｓ３００６において、経過時間Ｔｃが、予め設定されている所定の経過時間よりも長いとＣＰＵ１０１が判断した場合は（Ｓ３００６  ＹＥＳ）、ＣＰＵ１０１は、用紙搬送動作を再開する（Ｓ３００７）。
【００７４】
一方、Ｓ３００６において、経過時間Ｔｃが、予め設定されている所定の経過時間よりも短いとＣＰＵ１０１が判断した場合は（Ｓ３００６  ＮＯ）、ＣＰＵ１０１は、用紙の交換が未実施の可能性がある旨を操作部３３０に表示する（Ｓ３００８）。
【００７５】
ここで、Ｓ３００８における操作部３３０への表示例として、図８（ｂ）を示す。操作部３３０には、用紙交換がなされていない可能性がある旨をユーザへ通知する表示（５０３０）と、印刷ジョブを中止するキャンセルキー５０２０が表示される。
【００７６】
（手差し給紙部時の印刷ジョブ再開判断処理）
図７を用いて、手差し給紙部２０００からの印刷ジョブ再開判断処理について説明する。図７は、図４のＳ１０１２の詳細であり、印刷ジョブの給紙元が給手差し給紙部であった場合の、印刷ジョブの再開判断の処理の詳細である。
【００７７】
まず、ＣＰＵ１０１は、手差しトレイ紙有無検知センサ２０３の検知結果を監視し、手差しトレイ紙有無検知センサ２０３の検知結果が１になったか否かを判断する（Ｓ４００１）。
【００７８】
Ｓ４００１において、手差しトレイ紙有無検知センサ２０３の検知結果が０になったとＣＰＵ１０１が判断した場合（Ｓ４００１  Ｎｏ）、続いて、ＣＰＵ１０１は、手差しトレイ紙有無検知センサ２０３の検知結果が１になったか否かを判断する（Ｓ４０１０）。
【００７９】
Ｓ４０１０において、手差しトレイ紙有無検知センサ２０３の検知結果が１になったとＣＰＵ１０１が判断した場合は（Ｓ４０１０）、ＣＰＵ１０１は、用紙搬送動作を再開する（Ｓ４００８）。
【００８０】
一方、Ｓ４００１において、手差しトレイ紙有無検知センサ２０３の検知結果が１になったとＣＰＵ１０１が判断した場合（Ｓ４００１  ＹＥＳ）、続いて、手差しトレイ紙有無検知センサ２０３の検知結果が０になったか否かを判断する（Ｓ４００２）。
【００８１】
Ｓ４００２において、手差しトレイ紙有無検知センサ２０３の検知結果が０になったとＣＰＵ１０１が判断した場合は（Ｓ４００２  ＹＥＳ）、ＣＰＵ１０１はその時点での時間を取得し、ＲＡＭ１０３に保存する（Ｓ４００３）。
【００８２】
次に、ＣＰＵ１０１は、手差しトレイ紙有無検知センサ２０３の検知結果を監視し、手差しトレイ紙有無検知センサ２０３の検知結果が１になったか否かを判断する（Ｓ４００４）。
【００８３】
Ｓ４００４において、手差しトレイ紙有無検知センサ２０３の検知結果が１になったとＣＰＵ１０１が判断した場合は（Ｓ４００４  ＹＥＳ）、ＣＰＵ１０１はその時点での時間をＲＡＭ１０３に保存する（Ｓ４００５）。
【００８４】
次に、ＣＰＵ１０１は、ＲＡＭに保存した、手差しトレイ紙有無検知センサ２０３の検知結果が０になった時間から同じく１になった時間のさから経過時間Ｔｍを算出する（Ｓ４００６）。
【００８５】
そして、ＣＰＵ１０１は、Ｓ４００６で算出した経過時間Ｔｍが、予め設定されている所定の経過時間よりも長いか否かを判断する（Ｓ４００７）。
【００８６】
Ｓ４００７において、経過時間Ｔｍが、予め設定されている所定の経過時間よりも長いとＣＰＵ１０１が判断した場合は（Ｓ４００７  ＹＥＳ）、ＣＰＵ１０１は、用紙搬送動作を再開する（Ｓ４００８）。ちなみに、本実施形態では、給紙元が手差し給紙部２０００の場合の所定の経過時間を、図３（ｂ）に定義したように３秒と設定している。
【００８７】
一方、Ｓ４００７において、経過時間Ｔｍが、予め設定されている所定の経過時間よりも短いとＣＰＵ１０１が判断した場合は（Ｓ４００７  ＮＯ）、ＣＰＵ１０１は、用紙の交換が未実施の可能性がある旨を操作部３３０に表示する（Ｓ４００９）。
【符号の説明】
【００８８】
１０００  画像形成装置本体
１００１  給紙段
１００２  読取部
２０００  手差し給紙部
１５０    給紙カセット
１３１    カセット分離ローラ
１３２    カセット搬送ローラ
２０１    手差し給紙ローラ
２０２    手差しトレイ
２０３    手差し給紙紙有無検知センサ
３３０    操作部
４０１    カセットピックアップローラ
４０３    搬送ローラ
４０４    搬送ローラ
４０５    レジストローラ
５１０    給紙カセット有無検知センサ
【図１】
2019166696.tif 000003
【図２】
2019166696.tif 000004
【図３】
2019166696.tif 000005
【図４】
2019166696.tif 000006
【図５】
2019166696.tif 000007
【図６】
2019166696.tif 000008
【図７】
2019166696.tif 000009
【図８】
2019166696.tif 000010